(57)【要約】【課題】多種多様な需要者の趣向に対応することができるスイッチカバーを提供することである。【解決手段】スイッチ操作孔３１を有し、透光性を有する素材で構成された表面板３０と、表面板３０の背面に設けられ、表面板３０側に文字や図柄が施された図柄板３２と、図柄板３２の背面に設けられ、かつ壁面等のスイッチ取付孔に適合した大きさからなるスイッチカバー取付枠３４と、を備えたことを特徴とするスイッチカバーである。【選択図】            図６
2005005144.tif 000002
【特許請求の範囲】
【請求項１】
スイッチ操作孔を有する表面板と、該表面板の背面に設けられ、かつ壁面等のスイッチ取付孔に適合した大きさからなるスイッチカバー取付枠と、を備えたことスイッチカバーにおいて、前記表面板は、平面方向に分割される二以上の部材から構成されており、該二以上の部材は、それぞれ異なる色又は模様から構成されていることを特徴とするスイッチカバー。
【請求項２】
前記二以上の部材は、異なる素材から形成されていることを特徴とする請求項１記載のスイッチカバー。
【請求項３】
前記二以上の部材のそれぞれの接合部には、凹凸が形成されており、これら凹凸が互いに噛み合うことにより前記二以上の部材は接合されて表面板を形成するよう構成されていることを特徴とする請求項１又は２記載のスイッチカバー。
【請求項４】
スイッチ操作孔を有し、透光性を有する素材で構成された表面板と、該表面板の背面に設けられ、表面板側に文字や図柄が施された図柄板と、該図柄板の背面に設けられ、かつ壁面等のスイッチ取付孔に適合した大きさからなるスイッチカバー取付枠と、を備えたことを特徴とするスイッチカバー。
【請求項５】
前記表面板と、前記図柄板と、前記取付枠は、それぞれ各別に構成され、これらが積層固着されていることを特徴とする請求項４記載のスイッチカバー。
【請求項６】
前記図柄板と前記取付枠の間に補強板が設けられていることを特徴とする請求項４又は５記載のスイッチカバー。
【請求項７】
前記図柄板に施された文字や図柄が広告として機能するよう構成されていることを特徴とする請求項４乃至６いずれか記載のスイッチカバー。
【発明の詳細な説明】
【０００１】
【発明の属する技術分野】
本発明は、通電のＯＮ、ＯＦＦスイッチを壁面等に取り付ける際に、スイッチの操作部分以外の表面をカバーするスイッチカバーに関する。
【０００２】
【従来の技術】
従来から使用されているスイッチカバーとしては、中央部にスイッチ操作孔を有するスイッチカバーの周縁部を裏面側に弧状に折り曲げて隅丸の略長方形に一体成型された金属製スイッチカバーや合成樹脂製スイッチカバーが一般的である（特許文献１）が、スイッチカバーを取り付ける場所や需要者の好み、あるいはインテリア上、木製のスイッチカバーが求められる場合がある。そして木製のスイッチカバー６０としては、たとえば図１０および図１１に示されるように、１枚の板材を隅丸の長方形に型抜きし、その一面に、周縁のスイッチカバー取付枠としての隆起部分６０Ａを残し、その他の面をリュータ等の切削工具を用いて適宜深さの溝６０Ｂが形成されるように切削し、その溝６０Ｂ内の中央部分に適宜数のスイッチ操作孔６２を穿孔形成させ、このスイッチ操作孔６２の上下にスイッチカバー６０の取付ねじ孔６４を穿孔形成させていた。
【０００３】
また需要者の趣味性向上のため陶磁製や硝子製、あるいは大理石などのような装飾性のある石材製のスイッチカバーも考えられるが、陶磁製スイッチカバーは散見されるものの、硝子製や石材製のスイッチカバーは普及されていない。そして硝子製の場合、金型によりスイッチカバーを一体成型することが考えられ、石材製の場合、切削加工により成型されることが考えられる。
【０００４】
【特許文献１】
特開平１１−７３８３３号公報
【０００５】
【発明が解決しようとする課題】
しかしながら、従来のスイッチカバーは、デザインなどを施してるものは少なく、無味乾燥なものとなっており、スイッチカバーがインテリアの一部になっているにも拘らず、需要者の趣味性向上を十分に満足するものは、ほとんど存在しない。デザインに対しても需要者の趣向は、多種多様化しており、スイッチカバーの提供側では十分に対応できないのが現状である。
【０００６】
そこで、本発明は、多種多様な需要者の趣向に対応することができるスイッチカバーを提供することを目的とする。
【０００７】
【課題を解決するための手段】
以上の目的を達成するため、本発明は、スイッチ操作孔を有する表面板と、該表面板の背面に設けられ、かつ壁面等のスイッチ取付孔に適合した大きさからなるスイッチカバー取付枠と、を備えたことスイッチカバーにおいて、前記表面板は、平面方向に分割される二以上の部材から構成されており、該二以上の部材は、それぞれ異なる色又は模様から構成されていることを特徴とするものである。
【０００８】
本発明に係るスイッチカバーは、その表面板がそれぞれ異なる色又は模様から構成された二以上の部材から構成されているので、例えば、二以上の部材を様々な色又は模様のものを用意し、これらを様々な態様で組み合わせることにより、様々な趣向のスイッチカバーを容易に得ることができる。これら二以上の部材は、それぞれ異なる素材、例えば木材、金属、合成趣旨、陶器などから形成することにより、色又は模様を異ならせることができる。
【０００９】
本発明に係るスイッチカバーにおいて、前記二以上の部材のそれぞれの接合部には、凹凸が形成されており、これら凹凸が互いに噛み合うことにより前記二以上の部材は接合されて表面板を形成するよう構成されていることが好ましい。
【００１０】
また、上記目的を達成するため、本発明は、スイッチ操作孔を有し、透光性を有する素材で構成された表面板と、該表面板の背面に設けられ、表面板側に文字や図柄が施された図柄板と、該図柄板の背面に設けられ、かつ壁面等のスイッチ取付孔に適合した大きさからなるスイッチカバー取付枠と、を備えたことを特徴とするスイッチカバーである。
【００１１】
本発明に係るスイッチカバーは、表面板が透光性を有する素材で構成されており、その背面に文字や図柄が施された図柄板が設けられているので、利用者は、自らの趣向に合った図柄板を使用することによって容易に利用者の趣向に合ったスイッチカバーを得ることができる。本発明に係るスイッチカバーにおいて、透光性を有する素材とは、表面側から図柄板に施された文字や図柄を認識できるものであれば良く、例えば透明又は半透明のガラスや合成樹脂などがある。
【００１２】
本発明に係るスイッチカバーにおいて、前記表面板と、前記図柄板と、前記取付枠は、それぞれ各別に構成され、これらが積層固着されていることが好ましく、前記図柄板と前記取付枠の間に補強板が設けられていることが好ましい。また、本発明に係るスイッチカバーにおいて、前記図柄板に施された文字や図柄が広告として機能するよう構成されていることが好ましい。
【００１３】
【発明の実施の形態】
次に、本発明に係るスイッチカバーの第１実施例を図面に基づいて説明する。図１は、第１実施例に係るスイッチカバーの平面図であり、図２は、図１のＩＩ−ＩＩ線に沿った断面図であり、図３は、第１実施例に係るスイッチカバーの分解斜視図である。第１実施例に係るスイッチカバーは、表面板１０と、表面板１０の背面に設けられたスイッチカバー取付枠１２と、を備えている。
【００１４】
表面板１０は、中央部に長方形状のスイッチ挿入孔１１を有し、隅丸の長方形状に形成されている。このスイッチ挿入孔１１の長手方向外側には、第１実施例に係るスイッチカバーを壁面に取り付ける際に使用するねじが挿入可能なねじ孔１３、１３が一対設けられている。表面板１０は、対角線を基準に第１表面板１４と第２表面板１６に分割されている。これら第１表面板１４と第２表面板１６は、それぞれ異なる素材から構成されており、第１実施例に係るスイッチカバーにおいて、第１表面板１４は、木材から構成されており、第２表面板１６は、ステンレスから構成されている。第１表面板１４と第２表面板１６の接合部分１４Ａ、１４Ｂ、１６Ａ、１６Ｂは、凹凸状形成されており、これら凹凸が互いに噛み合うことにより第１表面板１４と第２表面板１６は接合して表面板１０を形成するよう構成されている。
【００１５】
スイッチカバー取付枠１２は、外周縁が表面板１０の外周縁と同一形状で、適宜幅を有し壁面等のスイッチ取付孔に適合した大きさからなる枠状に形成されており、第１実施例に係るスイッチカバーにおいては、第２表面板１６と同様にステンレスから形成されている。これら第１表面板１４、第２表面板１６及びスイッチカバー取付枠１２は、それぞれ各別に構成されており、第１表面板１４と第２表面板１６が接合されて形成された表面板１０とスイッチカバー取付枠１２を積層固着させることによって、第１実施例に係るスイッチカバーを得ることができる。
【００１６】
第１実施例に係るスイッチカバーにおいて、第１表面板１４は、例えば型抜き加工により製造することができ、第２表面板１６及びスイッチカバー取付枠１２は、例えば型抜き加工、プレス加工、レーザー加工やウォータージェットによる切削加工などによって製造することができる。
【００１７】
第１実施例に係るスイッチカバーは、その表面板１０が異なる素材から形成された第１表面板１４と第２表面板１６から構成されているので、例えば、これら第１表面板１４と第２表面板１６を木材、金属、合成趣旨、陶器などで造ったものを様々な態様で組み合わせることにより、様々な趣向のスイッチカバーを容易に得ることができる。
【００１８】
次に、本発明のスイッチカバーの第２実施例について説明する。図４は、第２実施例に係るスイッチカバーの分解斜視図であり、図５は、図２に対応する第２実施例に係るスイッチカバーの断面図である。第２実施例に係るスイッチカバーは、第１実施例に係るスイッチカバーと同様に表面板２０が第１表面板２４と第２表面板２６とから構成されており、これら第１表面板２４と第２表面板２６は、各別に構成されているが、第１実施例と異なり、第２表面板２６とスイッチカバー取付枠２２は、一体成型されている。これら一体成型された第２表面板２６とスイッチカバー取付枠２２は、第１実施例と同様にステンレスから構成されており、例えば型抜き加工、プレス加工、レーザー加工やウォータージェットによる切削加工などによって製造することができる。
【００１９】
次に、本発明に係るスイッチカバーの第３実施例について説明する。図６は、第３実施例に係るスイッチカバーの分解斜視図であり、図７は、図２に対応する第３実施例に係るスイッチカバーの断面図である。第３実施例に係るスイッチカバーは、表面板３０と、該表面板の背面に設けられ、表面板側に文字や図柄が施された図柄板３２と、図柄板３２の背面に設けられたスイッチカバー取付枠３４と、を備えている。これら表面板３０、図柄板３２及びスイッチカバー取付枠３４は、格別に構成されており、これらを積層固着させることによって、第３実施例に係るスイッチカバーを得ることができる。
【００２０】
表面板３０は、中央部に縦方向に並列して形成された長方形状のスイッチ挿入孔３１、３１を有し、隅丸の長方形状に形成されている。これらスイッチ挿入孔３１、３１の長手方向外側には、第３実施例に係るスイッチカバーを壁面に取り付ける際に使用するねじが挿入可能なねじ孔３３、３３が一対設けられている。表面板１０は、透明のアクリル素材から構成されており、アクリル板を例えば型抜き加工、プレス加工、レーザー加工やウォータージェットによる切削加工により製造される。
【００２１】
図柄板３２は、外周縁を表面板３０の外周縁と同一とする長方形状に形成されており、表面板３０のスイッチ挿入孔３１、３１とねじ孔３３、３３と整合する位置にスイッチ挿入孔３５、３５とねじ孔３７、３７が形成されている。また、図柄板３２の表面板側には文字や図柄が施されている。この図柄板３２は、例えば絵葉書や雑誌などを型抜きすることによって製造される。
【００２２】
スイッチカバー取付枠３４は、外周縁が表面板３０の外周縁と同一形状で、適宜幅を有し壁面等のスイッチ取付孔に適合した大きさからなる枠状に形成されており、第３実施例に係るスイッチカバーにおいては、例えば木材を型抜きすることにより製造される。
【００２３】
第３実施例に係るスイッチカバーは、表面板３０が透明の素材で構成されており、その透明素材の背面に文字や図柄が施された図柄板３２が設けられているので、利用者は、自らの趣向に合った図柄板３２を使用することによって容易に利用者の趣向に合ったスイッチカバーを得ることができる。また、図６に示すように、図柄板３２に会社名などを施すことによって、第３実施例に係るスイッチカバーを広告として利用することができる。
【００２４】
また、図８に示すように、図柄板３２とスイッチカバー取付枠３４の間に補強板３８を設けてもよく、この場合、補強板３８とスイッチカバー取付枠３４を例えばステンレスから構成し、これらを例えば型抜き加工、プレス加工、レーザー加工やウォータージェットによる切削加工などにより一体成型しても良い。
【００２５】
なお、第１実施例乃至第３実施例において、例えば図９に示されるように、スイッチカバー取付枠４０の長辺４０Ａ部分と、短辺４０Ｂ部分の中央部分を広幅に形成してスイッチカバー取付枠４０の強度を高めるようにしてもよい。
【００２６】
【発明の効果】
以上のように本発明によれば、多種多様な需要者の趣向に対応することができるスイッチカバーを提供することができる。
【図面の簡単な説明】
【図１】本発明に係るスイッチカバーの第１実施例の平面図である。
【図２】図１のＩＩ−ＩＩ線に沿った断面図である。
【図３】第１実施例に係るスイッチカバーの分解斜視図である。
【図４】本発明に係るスイッチカバーの第２実施例の平面図である。
【図５】第２実施例に係るスイッチカバーの図２に対応する断面図である。
【図６】本発明に係るスイッチカバーの第３実施例の平面図である。
【図７】第３実施例に係るスイッチカバーの図２に対応する断面図である。
【図８】補強板を設けた第３実施例に係るスイッチカバーの図２に対応する断面図である。
【図９】スイッチカバー取付枠の他の例を示す斜視図である。
【図１０】従来のスイッチカバーの斜視図である。
【図１１】従来のスイッチカバーの断面図である。
【符号の説明】
１０、２０、３０                表面板
３２                                        図柄板
１２、２２、３４                スイッチカバー取付枠
【図１】
2005005144.tif 000003
【図２】
2005005144.tif 000004
【図３】
2005005144.tif 000005
【図４】
2005005144.tif 000006
【図５】
2005005144.tif 000007
【図６】
2005005144.tif 000008
【図７】
2005005144.tif 000009
【図８】
2005005144.tif 000010
【図９】
2005005144.tif 000011
【図１０】
2005005144.tif 000012
【図１１】
2005005144.tif 000013